(57)【要約】【課題】必要に応じて高さの調整ができ、且つ、多様な材質の充填材を収容したピローパッドを多様な配列で組み合わせられる多層式枕を提供すること。【解決手段】複数のピローパッド１と固定部材２を含み、各ピローパッド１に互いに異なる複数種類の材質の充填材が収容され、各ピローパッド１のいずれか一側が固定部材２に着脱自在に連結され、適宜数量のピローパッド１を上或いは下にめくり、高さ調整可能とすると共に、ピローパッド１の重ね合わせ順序を可変とする。【選択図】図１
0003180454.tif 000002
【実用新案登録請求の範囲】
【請求項１】
複数のピローパッドと固定部材を含み、前記各ピローパッドのいずれか一側が前記固定部材に着脱自在に連結され、前記固定部材に連結した前記ピローパッドを、適宜数量上或いは下にめくると共に、適宜数量重ね合わせることにより、高さ調整可能とし、且つ、互いに異なる材質の充填材を収容した前記ピローパッドの重ね合わせ順序を可変としたことを特徴とする、多層式枕。
【請求項２】
前記ピローパッドのいずれか一側と前記固定部材にそれぞれ係合部材が設けられ、前記ピローパッドが前記係合部材により前記固定部材に連結されることを特徴とする、請求項１に記載の多層式枕。
【請求項３】
前記ピローパッドのいずれか一側と前記固定部材にそれぞれ設けられた前記係合部材が、オス・メスの面ファスナーであることを特徴とする、請求項２に記載の多層式枕。
【請求項４】
前記ピローパッドのいずれか一側と前記固定部材にそれぞれ設けられた前記係合部材がボタンであることを特徴とする、請求項２に記載の多層式枕。
【考案の詳細な説明】
【技術分野】
【０００１】
本考案は、枕の高さを調整でき、枕の使用をより便利にすると共に、ピローパッドの上下順序を調整でき、多様な材質の充填材を収容したピローパッドを多様な配列で組み合わせられるようにし、実用的価値の高い多層式枕に関する。
【背景技術】
【０００２】
一般的な枕は、通常各種材質（スポンジ、綿花、薬材、その他の物質など）の充填材を入れた袋体で構成されており、市販されている多様な枕から選択して購入することができる。
しかしながら、このような従来の枕は、高さ及び充填材の材質が固定されており、使用者が高さの増減をしたいとき、自由に高さ調整するためのいかなるメカニズムもなく、理想的ではない。
【考案の概要】
【考案が解決しようとする課題】
【０００３】
本考案が解決しようとする課題は、必要に応じて高さの調整ができ、且つ、多様な材質の充填材を収容したピローパッドを多様な配列で組み合わせられる多層式枕を提供することにある。
【課題を解決するための手段】
【０００４】
本考案の多層式枕は、複数のピローパッドと固定部材を含み、前記各ピローパッドのいずれか一側が前記固定部材に着脱自在に連結され、前記固定部材に連結した前記ピローパッドを、適宜数量上或いは下にめくると共に、適宜数量重ね合わせることにより、高さ調整可能とし、且つ、互いに異なる材質の充填材を収容した前記ピローパッドの重ね合わせ順序を可変としてある。
前記ピローパッドのいずれか一側と前記固定部材にそれぞれ係合部材が設けられ、前記ピローパッドを前記係合部材により前記固定部材に連結してもよい。
前記係合部材は、オス・メスの面ファスナーであってもよいし、ボタンであってもよい。
【考案の効果】
【０００５】
本考案の多層式枕は、複数のピローパッドの一側を固定部材に着脱自在に連結したので、使用者が必要に応じて枕の高さの調整を行うことができ、且つピローパッドの上下順序の調整により、多様な材質の充填材を収容したピローパッドを多様な配列で組み合わせることができ、枕の実用的価値を高めることができる。
【図面の簡単な説明】
【０００６】
【図１】本考案の実施例を示す多層式枕の斜視図である。
【図２】本考案の実施例を示す多層式枕の分解斜視図である。
【図３】本考案の多層式枕の使用例を示す図である。
【図４】本考案の多層式枕の別の使用例を示す図である。
【図５】本考案の多層式枕のさらに別の使用例を示す図である。
【考案を実施するための形態】
【０００７】
以下、本考案の実施例を図面に基づいて詳細に説明する。
図１と図２に本考案の実施例に係る多層式枕Ａの斜視図及び分解斜視図をそれぞれ示す。これらの図に示すように、多層式枕Ａは複数のピローパッド１と固定部材２を備える。
ピローパッド１は、袋体に多様な材質の充填材を入れて成る。本実施例において、各ピローパッド１には、スポンジ、綿花、薬材等の互いに異なる複数種類の材質の充填材が収容されている。
【０００８】
固定部材２は、布等の軟質材料より成り、ピローパッド１と略同幅で、全てのピローパッド１を重ねた高さとほぼ同じ高さに形成される。
各ピローパッド１のいずれか一側と固定部材２にそれぞれ係合部材１１、２１が設置され、各ピローパッド１のいずれか一側が固定部材２に着脱自在に連結される。
係合部材１１、２１は、オス・メスの面ファスナーとしたり、ボタン等の部材としてもよく、ピローパッド１を固定部材２に連結した後、ページをめくるように各ピローパッド１をめくったり、重ね合わせたりすることができるように構成される。
【０００９】
多層式枕Ａを使用する時は、必要に応じて適宜数量のピローパッド１を上にめくり、適切な数量のピローパッド１を重ねた状態に保ち、多層式枕Ａの高さの調整を行い、多層式枕Ａをより便利に使用することができる。且つ、ピローパッド１を固定部材２から取り外して、ピローパッド１の上下順序を適切に調整し、調整後のピローパッド１をそれぞれ固定部材２に再度連結させることで、多様な材質の充填材を収容したピローパッド１を多様な配列で組み合わせることができ、枕の実用的価値を高める。
【００１０】
図３に多層式枕Ａの使用例を示す。この図に示すように、全部のピローパッド１を相互に重ね合わせると多層式枕Ａは最高の高さとなり、使用者の頭部を多層式枕Ａに置くことができる。ピローパッド１の上下順序は使用者が任意に調整でき、多様な材質の充填材を入れたピローパッド１を多様な配列で組み合わせ、使用者の多様なニーズに対応することができる。
【００１１】
図４に多層式枕Ａの別の使用例を示す。この図に示すように、一部のピローパッド１を上にめくり、残り部分のピローパッド１を重ねた状態に保ち（図では、２つのピローパッド１を上にめくり、残り３つのピローパッド１が重ねた状態に保たれている）、多層式枕Ａの高さを調整する。これにより、使用者の異なる時間の異なるニーズに対応することができ、別途その他の物品を敷いて高くしたりする必要がなく、枕をより便利に使用できる。
【００１２】
図５に多層式枕Ａのさらに別の使用例を示す。この図に示すように、中央位置のピローパッド１を他のピローパッド１よりも相対的に厚く形成し、その上下のピローパッド１をそれぞれ上にめくったり、下にめくったりして、中央位置のピローパッド１を残し、それに頭部を置くことができる。
【００１３】
以上は、本考案の最良の実施例を説明したものであり、本考案の実用新案登録請求の範囲を制限するものではなく、本考案の要旨を逸脱しない若干の修飾や変更は本考案の実用新案登録請求の範囲に含まれる。
【符号の説明】
【００１４】
１      ピローパッド
１１    係合部材
２      固定部材
２１    係合部材
Ａ      多層式枕
【図１】
0003180454.tif 000003
【図２】
0003180454.tif 000004
【図３】
0003180454.tif 000005
【図４】
0003180454.tif 000006
【図５】
0003180454.tif 000007